【手続補正書】
【提出日】平成29年4月27日(2017.4.27)
【手続補正１】
【補正対象書類名】特許請求の範囲
【補正対象項目名】全文
【補正方法】変更
【補正の内容】
【特許請求の範囲】
【請求項１】
物体側から像側に順に、ズーミングのためには移動しない正の屈折力の第１レンズ群、ズーミングに際して移動する負の屈折力の第２レンズ群、少なくとも１群以上のズーミングに際して移動するレンズ群、開口絞りを含む後レンズ群から構成され、前記開口絞りより物体側のレンズ群でフォーカシングを行うズームレンズであって、前記ズームレンズの広角端の焦点距離をｆＷ、前記第１レンズ群の焦点距離をｆ１、前記第２レンズ群の焦点距離をｆ２、前記ズームレンズの広角端の半画角をω_Ｗとするとき、
−１２．００＜ ｆ１／ｆ２ ＜−４．００
−１．００＜ ｆ２／（２×ｆＷ×tan（ω_Ｗ））＜−０．３０
を満たすことを特徴とするズームレンズ。
【請求項２】
無限遠に合焦したときの前記第２レンズ群の広角端の横倍率をβ２Ｗ、前記第２レンズ群の望遠端の横倍率をβ２Ｔとするとき
９．００＜β２Ｔ／β２Ｗ＜ ３５．００
を満たすことを特徴とする請求項１に記載のズームレンズ。
【請求項３】
前記ズームレンズの望遠端の焦点距離をｆＴとするとき、
２．００＜ ｆＴ ／ ｆ１ ＜ ８．００
を満たすことを特徴とする請求項１又は２に記載のズームレンズ。
【請求項４】
広角端における前記第２レンズ群の最も像側の面と前記少なくとも１群以上のズーミングに際して移動するレンズ群の最も物体側の面の光軸上の間隔をＬ２Ｗとするとき
−０．５０＜ｆ２／Ｌ２Ｗ＜ −０．０５
を満たすことを特徴とする請求項１乃至３のいずれか１項に記載のズームレンズ。
【請求項５】
前記第１レンズ群の最も物体側の面から前記開口絞りまでの光軸上の距離をＬＦとするとき
４．００＜ＬＦ／（２×ｆＷ×tan（ω_Ｗ））＜ ２０．００
を満たすことを特徴とする請求項１乃至４のいずれか１項に記載のズームレンズ。
【請求項６】
前記ズームレンズの望遠端の焦点距離をｆＴとするとき、
１０．００＜ ｆＴ ／（２×ｆＷ×tan（ω_Ｗ））＜ ４０．００
を満たすことを特徴とする請求項１乃至５のいずれか１項に記載のズームレンズ。
【請求項７】
前記開口絞りがズーミングに際して移動しないことを特徴とする請求項１乃至６のいずれか１項に記載のズームレンズ。
【請求項８】
請求項１乃至７のいずれか１項に記載のズームレンズと前記ズームレンズによって形成された像を受光する固体撮像素子を有することを特徴とする撮像装置。
【手続補正２】
【補正対象書類名】明細書
【補正対象項目名】０００７
【補正方法】変更
【補正の内容】
【０００７】
本発明のズームレンズは、物体側から像側に順に、ズーミングのためには移動しない正の屈折力の第１レンズ群、ズーミングに際して移動する負の屈折力の第２レンズ群、少なくとも１群以上のズーミングに際して移動するレンズ群、開口絞りを含む後レンズ群から構成され、前記開口絞りより物体側のレンズ群でフォーカシングを行うズームレンズであって、前記ズームレンズの広角端の焦点距離をｆＷ、前記第１レンズ群の焦点距離をｆ１、前記第２レンズ群の焦点距離をｆ２、前記ズームレンズの広角端の半画角をω_Ｗとするとき、
−１２．００＜ ｆ１／ｆ２ ＜−４．００
−１．００＜ ｆ２／（２×ｆＷ×tan（ω_Ｗ））＜−０．３０
を満たすことを特徴とする。
【手続補正３】
【補正対象書類名】明細書
【補正対象項目名】００３０
【補正方法】変更
【補正の内容】
【００３０】
条件式（７）を満たすことで、ズームレンズの収差変動を良好に補正するとともに、望遠化と小型軽量の両立が可能となる。条件式（７）の上限を超えると、イメージサイズに対してレンズ全系の望遠端の焦点距離が長すぎて、特に望遠端における球面収差、軸上色収差等の補正が困難となるとともに、第１レンズ群の有効径やレンズ全長が大きくなりズームレンズの小型軽量の実現が困難となる。条件式（７）の下限を超えると、イメージサイズに対してレンズ全系の望遠端の焦点距離が短すぎて、ズームレンズの望遠化に不利である。
【手続補正４】
【補正対象書類名】明細書
【補正対象項目名】００４７
【補正方法】変更
【補正の内容】
【００４７】
第１レンズ群Ｕ１はズーミングのためには移動しない正の屈折力を有するレンズ群である。第２レンズ群Ｕ２は広角端（短焦点距離端）から望遠端（長焦点距離端）へのズーミングに際して像側へ移動するズーミング用の負の屈折力を有するバリエーターレンズ群である。本実施例における「少なくとも１以上のズーミングに際して移動するレンズ群」は、物体側から像側へ順に、第３レンズ群Ｕ３と第４レンズ群Ｕ４から構成される。第３レンズ群Ｕ３は、広角端（短焦点距離端）から望遠端（長焦点距離端）へのズーミングに際して移動するズーミング用の正の屈折力を有するバリエーターレンズ群である。第４レンズ群Ｕ４は、第２レンズ群Ｕ２及び第３レンズ群Ｕ３に連動して移動し、ズーミングに伴う像面変動を補正する正の屈折力を有するコンペンセーターレンズ群である。また、第４レンズ群Ｕ４は無限遠物体から近距離物体への焦点調整に際し物体側に移動する。本実施例において、後レンズ群は、物体側から像側へ順に、ズーミングのためには移動しない開口絞りＳＰ、ズーミングのためには移動しない負の屈折力の第５レンズ群（リレーレンズ群）から構成される。ＩＰは像面であり、固体撮像素子（光電変換素子）の撮像面に相当している。
【手続補正５】
【補正対象書類名】明細書
【補正対象項目名】００４８
【補正方法】変更
【補正の内容】
【００４８】
実施例３の各レンズ群は、物体側より像側へ順に、以下の構成を有する。第１群Ｕ１は正レンズ、負レンズ、正レンズ３枚で構成されている。第２レンズ群Ｕ２は負レンズ３枚、及び正レンズで構成されている。第３レンズ群Ｕ３は正レンズ、負レンズ、正レンズで構成されている。第４レンズ群Ｕ４は、正レンズ、負レンズと正レンズの接合レンズから構成されている。第５レンズ群Ｕ５は、開口絞りＳＰ、負レンズと正レンズの接合レンズ、正レンズと負レンズの接合レンズ、負レンズと正レンズと負レンズの接合レンズ、正レンズと負レンズの接合レンズ２枚から構成されている。
【手続補正６】
【補正対象書類名】明細書
【補正対象項目名】００５２
【補正方法】変更
【補正の内容】
【００５２】
図７は本発明の実施例４のズームレンズの広角端で無限遠物体に合焦しているときのレンズ断面図である。本発明の実施例４に係るズームレンズは、物体側から順に、ズーミングのためには移動しない正の屈折力の第１レンズ群、ズーミングに際して移動する負の屈折力の第２レンズ群、少なくとも１群以上のズーミングに際して移動するレンズ群、開口絞りを含む後レンズ群から構成される。
【手続補正７】
【補正対象書類名】明細書
【補正対象項目名】００７８
【補正方法】変更
【補正の内容】
【００７８】
＜数値実施例２＞
面データ
面番号        r       d         nd       vd     有効径 
1          309.463   16.60    1.43387    95.1    154.77
2         -796.747    0.20        1              154.24
3        -3147.021    4.50    1.72916    54.7    153.21
4          153.581    0.29        1              148.91
5          152.879   25.01    1.43387    95.1    149.17
6        -1082.423    0.20        1              149.20
7          166.085   19.51    1.43387    95.1    148.33
8         1728.054    0.20        1              147.17
9          141.414   16.30    1.43387    95.1    139.79
10         469.895   (可変)       1              137.94
11*        140.220    1.50    1.53715    74.8     53.82
12          35.668   12.40        1               45.60
13        -173.953    1.50    1.53715    74.8     42.36
14          98.820    7.67        1               39.65
15         -40.525    1.50    1.59522    67.7     39.27
16          59.876    0.19        1               39.89
17          48.642    5.52    1.72047    34.7     40.57
18*      -1495.589   (可変)       1               40.44
19          64.955   10.22    1.43875    94.9     52.76
20        -122.301    0.20        1               52.56
21        -171.372    1.70    2.00069    25.5     52.17
22       28261.585    0.20        1               52.09
23*        172.482    5.93    1.49700    81.5     52.02
24        -129.888   (可変)       1               51.89
25          44.114    8.96    1.49700    81.5     41.51
26         -97.659    0.20        1               40.77
27*       -310.687    1.50    1.77250    49.6     39.23
28          87.110    4.54    1.49700    81.5     37.40
29        -261.144   (可変)       1               36.63
30(絞り)     ∞       2.50        1               30.68
31         242.016    1.50    1.88300    40.8     28.2
32          23.168    7.96    1.59270    35.3     25.77
33         -69.912    2.68        1               24.75
34         107.234    1.50    1.88300    40.8     21.13
35          20.680    3.42    1.59270    35.3     19.36
36          63.981   (可変)       1               18.63
37         -56.252    1.50    1.88300    40.8     17.34
38          41.889    0.19        1               17.00
39          32.689    7.69    1.85478    24.8     17.07
40         -26.389    1.50    1.88300    40.8     17.66
41          36.873    0.20        1               18.23
42          36.185    8.15    1.85478    24.8     18.43
43         -24.954    1.50    1.88300    40.8     19.12
44          48.974   (可変)       1               19.77
45          63.097    9.88    1.53172    48.8     26.98
46         -32.051    1.50    1.95906    17.5     28.36
47        -103.359    0.20        1               29.93
48          70.421   11.48    1.53172    48.8     31.63
49         -30.910    1.50    1.95906    17.5     32.53
50         -54.654                1               33.90
像面         ∞   
非球面データ
第11面
K = 0.00000e+000  A 4= 5.19683e-007  A 6= 1.73681e-009  A 8=-1.50609e-012 
A10= 1.43359e-015  A12= 1.52701e-019  
第18面
K = 0.00000e+000  A 4= 2.12056e-006  A 6= 3.22748e-009  A 8=-4.68497e-012  
A10= 1.02585e-014  A12=-8.52497e-018  
第23面
K = 0.00000e+000  A 4=-1.18543e-006  A 6=-8.02896e-011  A 8=-8.20631e-014  
A10= 1.16608e-016  A12=-6.41427e-020  
第27面
K = 0.00000e+000  A 4=-1.70895e-006  A 6= 3.36974e-010  A 8=-6.60188e-013  
A10= 1.19349e-015  A12=-1.04914e-018  
各種データ
ズーム比     30.00 
広角     中間     望遠
焦点距離      50.00   274.00  1500.08  
Fナンバー      4.60     5.53     9.82  
画角          23.41     4.52     0.83  
像高          21.65    21.65    21.65  
レンズ全長   491.04   491.04   491.04  
BF            55.11    55.11    55.11  
d10            7.38   107.00   140.37  
d18          166.85    72.50     1.50  
d24           34.64    18.19    65.96  
d29            2.00    13.19     3.05  
d36            3.85     6.90    12.65  
d44            9.80     6.75     1.00  
入射瞳位置   139.06   842.29    5080.32  
射出瞳位置   -77.29   -69.39     -55.99  
前側主点位置 170.17   513.30  -13673.40  
後側主点位置   5.11  -218.89   -1444.97  
ズームレンズ群データ
群  始面    焦点距離  レンズ構成長  前側主点位置  後側主点位置
1    1     215.00        82.80        32.99        -25.39
2   11     -30.50        30.29        10.33        -14.22
3   19      92.50        18.24         4.95         -7.75
4   25      80.00        15.20         0.96         -9.21
5   30     -63.66        19.57        10.42         -3.00
6   37     -30.09        20.74         6.19         -4.18
7   45      67.56        24.57         7.17         -9.40